(57)【要約】【課題】歩行型移動農機の作業走行に伴う機体振動によって、その機体に備える工具収容部に収容された工具が弾んで不快な騒音が発生すること防止する。【解決手段】原動機１２の動力を変速装置を介して走行車輪１３と作業装置１４に伝達するミッションケース１１の上方に、変速操作レバー２８を案内する着脱自在な変速案内板２７を設け、且つ該変速案内板２７の裏面、または下方のミッションケース１１上に点火プラグ着脱用のプラグレンチ３１やドライバー３２等を固定的に保持することができる工具固定手段３３を装備した。【選択図】図２
2007196877.tif 000002
【特許請求の範囲】
【請求項１】
原動機（１２）の動力をミッションケース（１１）内の変速装置を介して走行装置（１３）に伝達すると共に、運転操作具としての操縦ハンドル（１５）と変速操作レバー（２８）を備える移動農機であって、前記ミッションケース（１１）の上方に変速操作レバー（２８）を案内する着脱自在な変速案内板（２７）を設け、且つ該変速案内板（２７）の裏面、または下方のミッションケース（１１）上に工具固定手段（３３）を装備したことを特徴とする移動農機。
【請求項２】
工具固定手段（３３）を変速案内板（２７）の裏面に一体的に形成した請求項１に記載の歩行型移動農機の工具収納構造。
【発明の詳細な説明】
【技術分野】
【０００１】
本発明は、機体に装着した耕耘ロータリ等の作業装置により耕耘作業や除草作業を行う歩行型移動農機の工具収納構造に関する。
【背景技術】
【０００２】
従来、原動機の動力をミッションケース内の変速装置を介して走行車輪と耕耘用のロータリ等の作業装置に伝達し、この作業装置により耕耘作業や除草作業を行う歩行型移動農機においては、前記ミッションケースの上部から後方に二股状のハンドル枠を延出すると共に、このハンドル枠の後部間に閉塞カバーを有する箱状の工具収容部を設けたものが知られている（例えば、特許文献１参照。）。
【特許文献１】実公平３−４６９９１号公報（第２頁、第１図−第３図）
【発明の開示】
【発明が解決しようとする課題】
【０００３】
しかし、上述した特許文献１のものでは、歩行型移動農機の作業走行に伴う機体振動によって、箱状の工具収容部に収容された工具が弾んで不快な騒音が発生することから十分なものではなかった。
【課題を解決するための手段】
【０００４】
本発明は、上記課題を解決することを目的としたものであって、原動機の動力をミッションケース内の変速装置を介して走行装置に伝達すると共に、運転操作具としての操縦ハンドルと変速操作レバーを備える移動農機であって、前記ミッションケースの上方に変速操作レバーを案内する着脱自在な変速案内板を設け、且つ該変速案内板の裏面、または下方のミッションケース上に工具固定手段を装備したことを第１の特徴とする。
【０００５】
そして、工具固定手段を変速案内板の裏面に一体的に形成したことを第２の特徴とする。
【発明の効果】
【０００６】
請求項１の発明によれば、原動機の動力を変速装置を介して走行装置に伝達するミッションケースの上方に、変速操作レバーを案内する着脱自在な変速案内板を設け、且つ該変速案内板の裏面、または下方のミッションケース上に工具固定手段を装備したことによって、前記工具固定手段により工具を固定的に保持することができるので、移動農機の作業走行に伴う機体振動によって工具が弾んで不快な騒音が発生するといった従来の不具合は起こらない。また、変速案内板が着脱自在なことから、所望の工具を必要とする時に容易に取り出して使用することができる。
【０００７】
そして、請求項２の発明によれば、工具固定手段を変速案内板の裏面に一体的に形成したことによって、簡潔で外観上の違和感のない変速案内板を構成できる。
【発明を実施するための最良の形態】
【０００８】
次に、本発明の実施の形態を図面に基づいて説明する。図１は、歩行型移動農機である歩行型管理機１０の後方から見た斜視図であって、この歩行型管理機１０は、機体フレームを構成するミッションケース（トランスミッション）１１、原動機であるエンジン１２、走行装置である走行車輪１３、作業装置であるロータリ耕耘装置１４、機体フレーム側から後方に向けて延設した操縦ハンドル１５等から構成されている。
【０００９】
そして、歩行型管理機１０のオペレータは、操縦ハンドル１５を把持した状態で、エンジン１２の動力によりミッションケース１１内の変速装置を介して走行車輪１３とロータリ耕耘装置１４を回転駆動させ、それによって機体を走行させながら圃場の耕耘作業が行なえるようになっている。
【００１０】
また、操縦ハンドル１５は、その把持部１５ａ周辺にメインクラッチレバー１６、エンジンコントロールレバー１７、耕耘作業時の直進性を維持するためのデフロックレバー１８等の運転操作具を備えている。
【００１１】
そして、上述したロータリ耕耘装置１４は、その中心部に備える図示しない耕耘軸の周囲に複数個の耕耘爪１４ａ・・・を取り付けてあり、当該耕耘軸と共に回転する耕耘爪１４ａ・・・により圃場の耕耘が行なわれる。更に、耕耘爪１４ａ・・・の周囲には、泥土等の飛散を防止すべく前面を含む上面及び両側面を覆う円弧状のロータリカバー２１を設けると共に、その後面にも基端２２ａを支点として上下回動自在なリヤカバー２２を設けている。
【００１２】
尚、円弧状のロータリカバー２１の後面側中央には、図示しない耕深調整ステーを固定するホルダー２３が設けてあり、その上部に移動走行用の尾輪体２４を格納状態で装着している。
【００１３】
ところで、上述したミッションケース１１の上方には、操縦ハンドル１５の基端部を螺設するハンドル取付フレーム２６が設けてあり、このハンドル取付フレーム２６の上方に着脱容易な樹脂製の変速案内板２７を取付けると共に、該変速案内板２７の略中央に形成した案内溝２７ａに、機体の走行速度を切り換える変速操作レバー２８を貫通させた状態で配設している。
【００１４】
更に詳しくは、変速案内板２７の裏面側における案内溝２７ａの下部（図中Ａ部）には、図２、図４及び図５に示すような二つの係止爪２７ｂ，２７ｂを設けてあり、両係止爪２７ｂ，２７ｂをハンドル取付フレーム２６側に備える二つの引掛け部２６ａ，２６ａ（図５及び図６参照）に係止させた状態で、変速案内板２７の前側をハンドル取付フレーム２６の上部にノブ付きボルト２９を用いて固定できるようになっており、それによって当該変速案内板２７を着脱自在に構成している。
【００１５】
次に、本発明の歩行型管理機１０の工具収納構造について説明する。
【００１６】
上述した樹脂製の変速案内板２７の裏面側における案内溝２７ａの左右両側には、歩行型管理機１０の主な工具である点火プラグ着脱用のプラグレンチ３１、ドライバー３２等を固定的に保持する工具固定手段３３を装備している。この工具固定手段３３は、図３（ａ）に示す断面図の如く、プラグレンチ３１を簡単に嵌着できるように、開口部Ｃを有する保持部２７ｃを変速案内板２７の裏面に一体的に形成したものである。
【００１７】
そして、図３（ｂ）に示す工具固定手段３３の実施例の如く、開口部Ｃを有する半円弧状の保持部２７ｄを変速案内板２７の裏面に一体的に形成すると共に、当該保持部２７ｄにプラグレンチ３１をセットした状態で固定可能なカバー３４を設け、このカバー３４をビス３５を用いて保持部２７ｄに螺設できるように構成してもよい。
【００１８】
また、図４に示すように、変速案内板２７の前側をノブ付きボルト２９で固定するハンドル取付フレーム２６の上部２６ｂにおいて、当該変速案内板２７の下方にゴムバンド３６，３６を用いてプラグレンチ３１を固定的に保持する工具固定手段３３を構成してもよい。同じく、図５に示すように、プラグレンチ３１を嵌め込んで固定的に保持することができる防振ゴム３７を用いてプラグレンチ３１の工具固定手段３３を構成してもよい。尚、図４及び図５に示す工具固定手段３３は、変速パネル２７の下方空間を有効に利用して構成したものであるが、当該工具固定手段３３をミッションケース上に装備してもよい。
【００１９】
以上説明したように、エンジン１２の動力をミッションケース１１内の図示しない変速装置を介して走行装置（車輪）１３と作業装置１４に伝達すると共に、運転操作具としての操縦ハンドル１５と変速操作レバー２８を備える歩行型移動農機１０において、前記ミッションケース１１の上方に変速操作レバー２８を案内する着脱自在な変速案内板２７を設け、且つ該変速案内板２７の裏面、または下方のミッションケース１１に工具固定手段３３を装備したことによって、この工具固定手段３３により主な工具である点火プラグ着脱用のプラグレンチ３１やドライバー３２等を固定的に保持することができるので、移動農機１０の作業走行に伴う機体振動によって当該工具３１，３２等が弾んで不快な騒音が発生するといった従来の不具合は起こらない。そして、工具固定手段３３を変速案内板２７の裏面に一体的に形成することによって、簡潔で外観上の違和感のない変速案内板２７を構成できる。
【００２０】
また、変速案内板２７は、ミッションケース１１だけでなくエンジン１２の後部も覆っており、この変速案内板２７を取り外すことによりエンジン１２の点火プラグの上方も開放されるようになっている。即ち、上述した実施例の如くエンジン１２の点火プラグの上方を覆う着脱自在な変速案内板２７に、点火プラグ着脱用のプラグレンチ３１を固定的に保持する工具固定手段３３を装備しておけば、当該プラグレンチ３１を速やかに取り出して作業することができるので作業効率が向上する。
【図面の簡単な説明】
【００２１】
【図１】歩行型管理機の斜視図。
【図２】工具固定手段の構成を示す変速パネルの側面図（ａ）及び底面図（ｂ）。
【図３】図２のＢＢ断面における工具固定手段の第１実施例（ａ）と第２実施例（ｂ）を示す断面図。
【図４】工具固定手段の第３実施例構成を示す側面図（ａ）及び平面図（ｂ）。
【図５】工具固定手段の第４実施例構成を示す側面図（ａ）及び平面図（ｂ）。
【符号の説明】
【００２２】
１１  ミッションケース
１２  原動機
１３  走行車輪
１４  作業装置
１５  操縦ハンドル
２７  変速案内板
２８  変速操作レバー
３３  工具固定手段
【図１】
2007196877.tif 000003
【図２】
2007196877.tif 000004
【図３】
2007196877.tif 000005
【図４】
2007196877.tif 000006
【図５】
2007196877.tif 000007